【事件の表示】
　平成　８年特許願第１３７４１８号「項目データ入力装置」拒絶査定不服審判事件〔平成　９年１１月１８日出願公開、特開平　９−２９７６４６〕について、次のとおり審決する。
【結　論】
　本件審判の請求は、成り立たない。
【理　由】
Ｉ．手続の経緯
　
　本願は、平成８年５月８日の出願であって、平成１７年９月２６日付け拒絶理由に対して、平成１７年１０月２６日付けで手続補正されたが、平成１７年１２月２８日付けで拒絶査定され、これに対し、平成１８年１月２５日に拒絶査定不服審判が請求されたものである。
　
ＩＩ．本願発明について
　
１．本願発明
　本願の請求項１及び２に係る発明は、平成１７年１０月２６日付けの手続補正書の特許請求の範囲の請求項１及び２に記載された事項により特定されるとおりのものであるところ、その請求項１に係る発明（以下、「本願発明」という。）は次のとおりのものである。
　
「【請求項１】
複数の項目名とこの各項目名の夫々に対応したデータを順次入力する項目データ入力装置において、
入力対象となる各項目名を選択候補として一覧表示する表示手段と、
この一覧表示の中から任意の項目名を入力対象として選択する選択手段と、
この選択手段によって任意に選択された項目名に対応するデータを入力する入力手段と、
この入力手段によってデータが入力される毎に、入力されたデータを項目名と対応して表示すると共に前記一覧表示の中から前記選択された項目名を削除して、前記表示手段へ表示する表示制御手段とを具備したことを特徴とする項目データ入力装置。」
　
２．引用刊行物の記載事項
　原査定の拒絶の理由に引用された刊行物（特開平６−２６６９３０号公報）には、自動取引装置について、図面とともに次の事項が記載されている。
　
（ａ）段落番号【０００６】に「図２は、ＡＴＭのハードウェア構成を表し、ＣＲＴディスプレイ２０３、及びタッチパネル２０４を含む顧客操作部２０２、カード情報読取／書込機構２０５、紙幣入出金機構２０６、ジャーナル印字機構２０８、通帳印字機構２０９、電源部２１０、及び硬貨入出金機構２１１、そして、これらをコントロールする制御部２０１と、インタフェース部２０７を備え、制御部２０１はインタフェース部２０７を介して通信回線により、図示していない上位装置に接続されている。」と記載されている。
　
（ｂ）段落番号【０００８】に「ＡＴＭは図６に示すようにタイトル６０１の下、画面の左端に、振込取引に必要な一連の入力処理手順をフローチャート形式に表示する（１０３）。これにより、操作者に対して入力処理手順全体を明示することができ、さらに現在処理中あるいは処理済の入力手順部分の表示の色を変える等して、現在の入力作業進行段階を容易に知らせることができる。・・・操作者は、あらかじめ定められ表示された一連の入力処理手順に従って入力作業を行なえばよいのであるが、フローチャートを構成する操作者が行なう各処理手順を示すブロック（６０２〜６０５）は、それ自体がファンクションキーとなっており、操作者は上記のあらかじめ定められた処理手順に拘束されることなく、、希望するブロックに触れることにより、任意の手順で入力作業あるいは既入力項目の訂正を行なうことができる。」と記載されている。
　
（ｃ）段落番号【０００９】に「依頼人氏名入力操作の一部であることを示すために、フローチャートの対応するブロック６０２の表示を他のブロックと異ならせている。」と記載されている。・・・図８では、画面上に入力表示窓８０２を持つ五十音キーボードのイメージ８０１が表示されており、キーボードを操作する要領で画面に触れると、タッチパネル２０４の作用により、入力表示窓に依頼人氏名入力結果が表示される。利用者は氏名入力の最後に「確認」キーを押すことにより、氏名入力を終えることができる。」と記載されている。
　
（ｄ）段落番号【００１０】に「「確認」が押されると、入力を終えた依頼人氏名を残して五十音キーボードが消え、かわりに図１０に示す振込依頼票のイメージが表示され、依頼人氏名が依頼票の所定の位置に配置される。依頼人氏名が記入された状態となった依頼票は図９に示すように連続的に縮小され、９０１のようにタイトルの横に小さく表示される。・・・以上で依頼人氏名入力が終了するので、ＡＴＭは１１３でＣＲＴディスプレイ２０３上のフローチャートの対応するブロック６０２の表示を、入力済を表す状態にし、１０４で必要な項目がすべて入力されたかどうかをチェックする。」と記載されている。
　
（ｅ）段落番号【００１２】に「次に、入力項目をランダムに選ぶ場合について説明する。例えば上述の実施例で振込依頼人氏名入力を終えると、ＡＴＭは自動的に図１２に示す振込先入力ガイダンス初期画面を表示する（１２１）が、ここで続いて振込先入力を行なうのではなく振込金額入力を行なう場合は、画面左端のフローチャートの「金額入力」ブロック６０５を押すことにより行なうことができる。この時ＡＴＭは処理手順を１４１に移して図１４のように振込金額入力ガイダンス初期画面を表示し、操作者はガイダンスに従って振込金額を入力する。金額入力が終了するとテンキーが消え、かわりに縮小表示されていた依頼人氏名及び電話番号が記入された状態の振込依頼票が元の大きさに拡大表示される。そして振込金額が所定の位置に配置され、依頼人氏名、電話番号及び振込金額が記入された状態となった依頼票は再び連続的に縮小され、タイトルの横に小さく表示される。続いてＡＴＭは１４３で「金額入力」ブロックを入力済状態にした後、１０４、１１０、１２０の各判断を行い、１２１で図１２が再度表示される。」と記載されている。
　
（ｆ）【図６】及び【図１２】によれば、「ブロック６０２は「依頼人氏名入力」と表示されるブロックであり、ブロック６０５は「金額入力」と表示されるブロックである」と認められる。
　
（ｇ）【図９】、【図１１】及び【図１３】によれば、「振込依頼票において、“へいせいたろう”を、依頼人氏名と対応させて表示している」と認められる。
　
（ｈ）【図１３】によれば、「振込依頼票において、“１２３，０００”を、振込金額と対応させて表示している」と認められる。
　
　したがって、刊行物には次の発明（以下、「刊行物記載の発明」という。）が記載されている。
　
「ＡＴＭは、画面の左端に、振込取引に必要な一連の入力処理手順をフローチャート形式に表示し、処理済の入力手順部分の表示の色を変えて、現在の入力作業段階を容易に知らせることができ、「依頼人氏名入力」ブロック６０２〜「金額入力」ブロック６０５は、フローチャートを構成し、
ＡＴＭは、依頼人氏名入力操作の一部であることを示すために、「依頼人氏名入力」ブロック６０２の表示を他のブロックと異ならせていて、画面上に入力表示窓８０２を持つ五十音キーボードイメージ８０１が表示され、キーボードを操作する要領で画面に触れると、タッチパネル２０４の作用により、入力表示窓に依頼人氏名入力結果が表示されて、利用者は氏名入力の最後に「確認」キーを押すことにより、氏名入力を終えることができて、振込金額入力を行なう場合は、「金額入力」ブロック６０５を押すことにより行なうことができ、操作者はガイダンスに従って振込金額を入力して、金額入力を終了し、
利用者により氏名入力の最後に「確認」が押されると、入力を終えた依頼人氏名を残して、振込依頼票のイメージが表示され、振込依頼票において“へいせいたろう”を依頼人氏名と対応させて表示し、ＡＴＭはＣＲＴディスプレイ上のフローチャートの対応する「依頼人氏名入力」ブロック６０２の表示を、入力済を表す状態にし、操作者の金額入力が終了するとテンキーが消え、振込依頼票において“１２３，０００”を振込金額と対応させて表示し、ＡＴＭは「金額入力」ブロックを入力済状態にして、
ＡＴＭの、ＣＲＴディスプレイ、及びタッチパネルを含む顧客操作部をコントロールする制御部を備えるＡＴＭ。」
　
３．本願発明と刊行物記載の発明との比較
　刊行物記載の発明の、『「依頼人氏名入力」ブロック６０２』、『「金額入力」ブロック６０５』のそれぞれは、本願発明の「項目名」に相当する。
　刊行物記載の発明の、『「依頼人氏名入力」ブロック６０２及び「金額入力」ブロック６０５』は、本願発明の「複数の項目名」に相当する。
　刊行物記載の発明で、「依頼人氏名入力」ブロック６０２の表示が他のブロックと異なっている状態で、利用者は、氏名入力を行えており、また、「金額入力」ブロック６０５を押すことにより振込金額入力を行なうことができることから、利用者が入力する、「氏名」、「振込金額」のそれぞれは、本願発明の「各項目名の夫々に対応したデータ」に相当するとともに、当該「データ」が、順次入力されていることは明らかである。
　また、刊行物記載の発明で、利用者により入力される、「氏名」、「振込金額」の具体例として、それぞれ、“へいせいたろう”、“１２３，０００”が、入力されていることも明らかであって、刊行物記載の発明の、“へいせいたろう”、“１２３，０００”のそれぞれも、本願発明の「データ」に相当する。
　刊行物記載の発明の「ＡＴＭ」は、氏名、振込金額という項目が入力されていることは明らかであるから、本願発明の「項目データ入力装置」に相当する。
　刊行物記載の発明で、「依頼人氏名入力」ブロック６０２〜「金額入力」ブロック６０５が含まれる「フローチャート」は、振込取引に必要な一連の入力処理手順を表示するものであるから、本願発明の「一覧表示」に相当する。
　刊行物記載の発明で、「金額入力」ブロック６０５を押すことにより振込金額入力を行なえ、「依頼人氏名入力」ブロック６０２〜「金額入力」ブロック６０５は、フローチャートを構成し、当該フローチャートは、振込取引に必要な一連の入力処理手順を表示するためのであるから、『「金額入力」ブロック６０５』が、「入力対象となる項目名」であって、「選択候補」として表示される「項目名」でもあることは明らかである。
　刊行物記載の発明で、「金額入力」ブロック６０５を押すことにより振込金額入力を行なえることから、刊行物記載の発明の『「金額入力」ブロック６０５』は、一覧表示の中から任意に入力対象として選択する選択手段でもあることは、明らかである。
　刊行物記載の発明では、「金額入力が終了するとテンキーが消え、」と表現されているが、それまで表示していたテンキーによって振込金額が入力されていることは、技術常識に照らして明らかであるから、刊行物記載の発明の「テンキー」は、本願発明の「選択手段によって任意に選択された項目名に対応するデータを入力する入力手段」に相当する。
　刊行物記載の発明では、利用者により氏名入力の最後に「確認」が押されると、入力を終えた依頼人氏名を残して、振込依頼票のイメージが表示され、振込依頼票において“へいせいたろう”を依頼人氏名と対応させて表示し、操作者の金額入力が終了すると、振込依頼票において“１２３，０００”を振込金額と対応させて表示しているから、「入力手段によってデータが入力される毎に、入力されたデータを項目名と対応して表示している」ことは、明らかである。
　また、刊行物記載の発明では、ＡＴＭは、処理済の入力手順部分の表示の色を変えて、現在の入力作業進行段階を容易に知らせているが、入力済の入力手順部分の表示とは、依頼人氏名入力が終了した場合の、フローチャートの対応する「依頼人氏名入力」ブロック６０２の表示、金額入力が終了した場合の、「金額入力」ブロック６０５の表示であることは、明らかであって、刊行物記載の発明で、金額入力は、「金額入力」ブロック６０５を押すことにより入力を行なっているから、当該「金額入力」ブロック６０５を押すことは、本願発明の、「項目名」を「選択」することに相当するから、刊行物記載の発明で、入力手段によってデータが入力される毎に、一覧表示の中から選択された項目名の表示の色を変えて表示手段へ表示していることも、明らかである。
　刊行物記載の発明において、「ＣＲＴディスプレイ」は、画面を形成し、各種表示を行っていることは明らかであるから、本願発明の「表示手段」に相当する。
　また、刊行物記載の発明の「制御部」は、「ＣＲＴディスプレイ」もコントロールしていることから、本願発明の「表示制御手段」に相当する。
　
　したがって、本願発明と刊行物記載の発明の一致点・相違点は、次のとおりである。 
　
　（一致点）
「複数の項目名とこの各項目名の夫々に対応したデータを順次入力する項目データ入力装置において、
入力対象となる各項目名を選択候補として一覧表示する表示手段と、
この一覧表示の中から任意の項目名を入力対象として選択する選択手段と、
この選択手段によって任意に選択された項目名に対応するデータを入力する入力手段と、
この入力手段によってデータが入力される毎に、入力されたデータを項目名と対応して前記表示手段へ表示する表示制御手段と
を具備する項目データ入力装置。」
　
　（相違点）
　入力手段によってデータが入力される毎に、本願発明では、一覧表示の中から選択された項目名を削除するのに対して、刊行物記載の発明では、一覧表示の中から選択された項目名の表示の色を変える点。
　
４．相違点の検討
　特開平８−６９３６５号公報の段落番号【００７１】〜【００７５】、特開平５−３４６９０５号公報の段落番号【００１４】〜【００１７】に記載されているように、未入力、即ち未選択の項目名のみを確認する目的で、一覧表示の中から選択された項目名を削除することは、周知である。したがって、入力手段によってデータが入力される際に、刊行物記載の発明の、一覧表示の中から選択された項目名の表示の色を変える構成に代えて、周知技術を採用して、一覧表示の中から選択された項目名を削除する構成とすることは、当業者ならば容易に想到し得たものである。
　
　そして、本願発明の作用効果は、刊行物記載の発明及び周知技術から当業者が予測できる範囲のものである。
　
５．結び
　以上のとおりであるから、本願発明は、本願出願前に頒布された上記刊行物に記載された発明及び周知技術に基づいて当業者が容易に発明をすることができたものであるであるから、特許法第２９条第２項の規定により特許を受けることができない。
　
　よって結論のとおり審決する。